(57)【要約】【課題】  中周波または低周波の按摩効果を提供できる美容用のマッサージマスクを提供する。【解決手段】  一枚の絶縁フイルム１と一つまたは一つ以上の導電フイルム２が貼り合わされて組成される。絶縁フイルム１は予定の導電エリアに一つまたは一つ以上の導電ボタン１１が分布するように埋め込まれ、導電ボタン１１は絶縁フイルム１を貫通し、導電フイルム２に導電するように接続されている。導電フイルム２は絶縁フイルム１の予定の各導電エリア位置に貼り合い、各導電フイルム２の間に適当なギャップ２０がある。使用のとき、コントロール装置の正電極と負電極の導線を導電ボタン１１に接続し、コントロール装置を導電させると、顔の選定エリアに中周波または低周波の按摩効果を提供する。【選択図】    図１
0003113536.tif 000002
【実用新案登録請求の範囲】
【請求項１】
美容用のマッサージマスクにおいて、一枚の絶縁フイルムと一つまたは一つ以上の導電フイルムが貼り合わされて組成され、コントロール装置の導電制御に合わせて中周波または低周波の按摩効果を提供し、
絶縁フイルムは予定の導電エリアに一つまたは一つ以上の導電ボタンが分布するように埋め込まれ、導電ボタンは絶縁フイルムを貫通し、導電フイルムに導電するように接続され、
導電フイルムは絶縁フイルムの予定の各導電エリア位置に貼り合い、各導電フイルムの間に適当なギャップがあり、
前記絶縁フイルムと一つまたは一つ以上の導電フイルムが貼り合わされると、美容用のマッサージマスクは組成され、使用のときに、コントロール装置の正電極と負電極の導線を絶縁フイルムの導電ボタンに接続し、コントロール装置を導電させると、顔の選定エリアに中周波または低周波の按摩効果を提供することを特徴とする美容用のマッサージマスク。
【請求項２】
導電フイルムは、導電ゴムまたは導電の布の材質で構成され、導電フイルムにはマスクが貼られて覆うことを特徴とする請求項１記載の美容用のマッサージマスク。
【請求項３】
導電フイルムは、整体薄片状であるため、絶縁フイルムに貼り合わされると、単一正極または負極の美容用のマッサージマスクが形成され、他の周辺装置に導電するように接続し、同時に、顔または人体の選定部位に低周波または中周波の按摩効果を提供することを特徴とする請求項１記載の美容用のマッサージマスク。
【請求項４】
周辺装置は、導電手袋であることを特徴とする請求項３記載の美容用のマッサージマスク。
【請求項５】
絶縁フイルムに分布するように埋め込まれた導電ボタンの実施は、導電の挿入接続粒子であることを特徴とする請求項１記載の美容用のマッサージマスク。
【請求項６】
導電フイルムの内壁面に、複数の正極性及び負極性の導電凸粒及び複数の柔らかい材質の絶縁凸粒が設けられていることを特徴とする請求項１記載の美容用のマッサージマスク。
【請求項７】
導電凸粒に、先に導電材が埋め込まれ、コントロール装置の導電制御に合わせて正極または負極の点状通電エリアが構成されることを特徴とする請求項６記載の美容用のマッサージマスク。
【請求項８】
導電凸粒は、導電材をサンドイッチの形態で導電フイルムの本体内部に隠し、導電材を絶縁フイルムの導電ボタンに接続することを特徴とする請求項６記載の美容用のマッサージマスク。
【考案の詳細な説明】
【技術分野】
【０００１】
本考案は、美容用のマッサージマスクに関する設計であり、特に、中周波または低周波の作用を経由し、顔の血気循環を促進させながら、白くてきれいに顔の皮膚を保護するというマッサージマスクの改良を指す。
【背景技術】
【０００２】
従来から、目の按摩マスクまたはマッサージマスクなどの顔の按摩器材について、よく見られる手段は、主に、目の按摩マスクまたはマッサージマスクの内壁面に複数の凸粒を設置し、または、凸粒にさらに磁石を付けるように結ぶ。それらの既知設計は、ほぼ振動装置を採用する。振動装置をスタートすると、凸粒が振動するので、それを被るユーザの顔は振動の按摩効果が得られる。
【考案の開示】
【考案が解決しようとする課題】
【０００３】
でも、そんな既知の設計の効果はあまり目立たないので、顔の血気循環または血管の活性化の促進が本当にできない。
本考案の主な目的は、美容用のマッサージマスクの設計を提供する。それは、主に一枚の絶縁フイルムと一つまたは一つ以上の導電フイルムが貼り合わされて組成される。また、コントロール装置の導電制御に合わせて顔の血気循環を促進させ、顔の老化及び病変を有効的に改善し、皮膚の性質をもっと明るくてしっかりしているようにさせる。それで、皮膚は自然にすっかり新しくなる。
【０００４】
本考案のもう一つの目的は、美容用のマッサージマスクの設計を提供する。絶縁フイルムに導電エリアの選定に応じて一つまたは一つ以上の導電ボタン（または導電の挿入接続粒子）を分布して埋め込む。コントロール装置の正極または負極の導線を絶縁フイルムの導電ボタン（または導電の挿入接続粒子）に接続（または挿入接続）する。通電のときに、顔の選定エリアに中周波または低周波の按摩効果を提供する。
【０００５】
本考案のもう一つの目的は、美容用のマッサージマスクの設計を提供する。導電フイルムの内壁面に導電凸粒及び柔らかい絶縁凸粒を設けて、特定の部位で按摩の効果を強化する。また、導電凸粒に先に導電材を埋め込むので、コントロール装置の導電に合わせて正極または負極の通電エリアを構成する。
【０００６】
本考案のもう一つの目的は、美容用のマッサージマスクの設計を提供する。導電フイルムは単一正極または負極であり、もう一つの対応した単一正極または負極の導電手袋（または他の周辺装置）に合わせてコントロール装置に導電するように接続されると、同時に、顔または両手に低周波または中周波の按摩効果を提供する。
【課題を解決するための手段】
【０００７】
以上の問題を解決するために、美容用のマッサージマスクは、主に、一枚の絶縁フイルムと一つまたは一つ以上の導電フイルムが貼り合わされて組成される。また、コントロール装置の導電制御に合わせて顔の血気循環を促進させながら、白くてきれいに顔の皮膚を保護する効果が得られる。掲示の絶縁フイルムの導電エリアに一つまたは一つ以上の導電ボタンを分布するように埋め込む。導電フイルムは、それぞれ各導電エリアの位置に貼り合う。それで、コントロール装置の正電極と負電極の導線は、絶縁フイルムの導電ボタンに接続される。導電されると、中周波または低周波の按摩効果を提供する。また、導電フイルムの内壁面に導電凸粒及び柔らかい絶縁凸粒を設けてもよい。なお、コントロール装置を導電の手袋に結合して応用すると、同時に、両手に中周波または低周波の按摩を提供することができる。
【考案を実施するための最良の形態】
【０００８】
本考案の目的、特徴および効果などをご了解なさるために、以下、さらに具体的な実施例に図面をあわせて詳しく説明する。
まずは、図１から図５を参照する。本考案の一実施例による美容用のマッサージマスクの設計は、絶縁フイルム１と一つまたは一つ以上の導電フイルム２が貼り合わされて組成される。また、コントロール装置３の導電制御に合わせて中周波または低周波の按摩効果を提供し、顔の血気循環を促進させながら、白くてきれいに顔の皮膚を保護するなどの効果も得られる。
【０００９】
絶縁フイルム１は、予定の導電エリアに一つまたは一つ以上の導電ボタン１１が分布するように埋め込まれる。導電ボタン１１は、絶縁フイルム１を貫通し、しかも、導電フイルム２に導電するように接続される（図３を参照）。
導電フイルム２は、絶縁フイルム１の予定の各導電エリア位置に貼り合う。また、各導電フイルム２の間に適当なギャップ２０がある。
【００１０】
前掲の絶縁フイルム１と一つまたは一つ以上の導電フイルム２が貼り合わされると、美容用のマッサージマスクは組成される。使用のときに、コントロール装置３の正電極と負電極の導線３１を絶縁フイルム１の導電ボタン１１に接続し、コントロール装置３を導電させると、顔の選定エリアに中周波または低周波の按摩効果を提供する。
【００１１】
図６を参照する。前掲の導電フイルム２が絶縁フイルム１の予定の複数導電エリアに合わせて貼り合わされる場合、美容用のマッサージマスクはもっと多い導電エリアを持つ（つまり、導電フイルム２毎に貼り合ったあとで、一つの導電エリアが構成される）。さらに、絶縁フイルム１と各導電フイルム２の対応の位置にそれぞれ一つの導電ボタン１１を埋め込む。それで、各導電ボタン１１は、絶縁フイルム１を貫通し、しかも、各導電フイルム２に導電するように接続される。その他、本実施例の設計により、コントロール装置３の制御使用に合わせて自由に異なる導電エリアを個別に選択し、周波の按摩を行ってもよいし、コントロール装置３の回路設定を経由し、順序循環に異なる導電エリアに周波の按摩を行ってもよいし、すなわち、エリアずつで次第に按摩する効果が遂げられる。
【００１２】
本実施例の設計により、使用のときに、掲示の導電フイルム２の貼り覆い表面に先にワンレアの既知の粘っこい導電ゲルが塗布され、導電フイルム２は軽易にユーザの顔に貼り付けられる。または、導電フイルム２の貼り覆い表面に先にワンレアの既知の固体状の導電ゲルが塗布され、導電フイルム２が軽易に顔に貼り付く効果を達成する。または、本実施例は、一般の既知マッサージマスク４に結合または応用しても良い（図７を参照）。それは、導電ゴムまたは導電の布の材質で導電フイルム２を構成する。さらに、導電フイルム２に伝統の既知マスク４を貼って覆う。それで、顔に敷いているうちに、白くてきれいに顔の皮膚を保護しながら、低周波または中周波の按摩効果も提供される。同時に、顔の血気循環を促進させ、顔の老化及び病変を改善し、皮膚の性質をもっと明るくてしっかりするようにさせる。
【００１３】
図８の実施例を参照する。導電フイルム２は整体薄片状であるため、絶縁フイルム１に貼り合わされると、単一正極または負極の美容用のマッサージマスクが形成される。そして、他の周辺装置に導電するように接続してもよい（例えば、図１４の導電手袋５）。結局、同時に、顔または人体の選定部位（例えば、手）に低周波または中周波の按摩効果を提供する。
【００１４】
前掲の絶縁フイルム１に分布で埋め込んだ導電ボタン１１は同じ訳で、導電の挿入接続粒子１１ａを設置するという同等効果の実施を採用してもよい（図９を参照）。それで、各導電の挿入接続粒子１１ａはコントロール装置３の導線３１の一端における導電ピン３１１に挿入接続するように結合され、導電フイルム２に導電できるように接続される。
【００１５】
本実施例により、美容用のマッサージマスクの形状は、実際のニーズに応じて顔の全部または局部を覆う薄片状に成型してもよい。例えば、前述の実施例は、顔の全部を覆う。図１０及び図１１に示すのは、それぞれ局部を覆って使う。それで、目を覆うマスクまたは口を覆うマスクになって、皆、本実施例の実施できる方式である。また、本実施例の美容用のマッサージマスクは顔の五官に応じて開口または凹凸の適当な形状に加工してもよいので、導電フイルム２はもっと完全に顔に貼り付けられる。
【００１６】
図１２を参照する。前掲の各マッサージマスクの実施において、掲示の導電フイルム２の内壁にも複数の正極性または負極性の導電凸粒２１を設けてもよい。同時に、複数の柔らかい材質の絶縁凸粒２２を設ける。柔らかい材質の絶縁凸粒２２は、主に、各導電凸粒２１の周辺に散布され、特定部位の按摩効果を強化させる。その他、導電凸粒２１に先に導電材を埋め込むので、コントロール装置３の導電制御に合わせて正極または負極の点状通電エリアを構成する。前述の導電凸粒２１は、導電材２１１をサンドイッチの形態で導電フイルム２の本体内部に隠す（図１３を参照）。さらに、導電材２１１を絶縁フイルム１の導電ボタン１１（または導電の挿入接続粒子１１ａ）に接続して組成する。
【００１７】
図１４の実施例を参照する。導電フイルム２が整体薄片状の単一の正極または負極形態となるので、コントロール装置３の二本導線３１の一端を絶縁フイルム１の導電ボタン１１（または導電の挿入接続粒子１１ａ）に接続し、もう一端を相対極性の導電手袋５（導電棒など他の周辺装置）に接続する。そして、共同で使われるので、同時に、両手または人体の他の部位に中周波または低周波の按摩を提供し、全身の血気循環を促進する按摩効果が得られる。
【００１８】
上述のコントローラ装置３は、主に、中枢ＩＣが設けられている。ＩＣでパルスを輸送させるので、インダクター、コンデンサーの充電及び放電で高圧が生じる。プログラムでパルス（約１ＨＺ−１５０ＨＺ）の広さを制御すると、異なる強弱の按摩の感じを発生できる。要するに、コントローラ装置３は、内部回路でパルス高圧を提供する。
【００１９】
以上の各図面に掲示した内容は、本考案の実施例案だけで、本考案の技術範囲を限定しない。同じ応用または類似の技術手段でいずれの変更、取換をしても、皆、本考案の技術範疇に含まれる。
【図面の簡単な説明】
【００２０】
【図１】本考案の一実施例による美容用のマッサージマスクを示す斜視図である。
【図２】本考案の一実施例による美容用のマッサージマスクを示す分解斜視図である。
【図３】本考案の一実施例による美容用のマッサージマスクの局部を示す断面図である。
【図４】本考案の一実施例による美容用のマッサージマスクの顔に被せて使用する状態を示す模式図である。
【図５】本考案の一実施例による美容用のマッサージマスクを示す正面図である。
【図６】本考案一実施例による美容用のマッサージマスクの複数の導電フイルムが貼り合わされて組成される状態を示す模式図である。
【図７】本考案の一実施例による美容用のマッサージマスクの既知のマッサージマスクに結合される状態を示す分解斜視図である。
【図８】本考案の一実施例による美容用のマッサージマスクの単一極性の導電フイルムを採用する状態を示す斜視図である。
【図９】本考案の一実施例による美容用のマッサージマスクの絶縁フイルムに導電の挿入接続粒子を設置する同等効果を示す斜視図である。
【図１０】本考案の一実施例による美容用のマッサージマスクの目のマスクの形態を示す斜視図である。
【図１１】本考案の一実施例による美容用のマッサージマスクの口のマスクの形態を示す斜視図である。
【図１２】本考案の一実施例による美容用のマッサージマスクの導電フイルムの内壁面に導電凸粒及び柔らかい絶縁凸粒が設けられている状態を示す斜視図である。
【図１３】図１２の局部を示す断面図である。
【図１４】本考案の一実施例による美容用のマッサージマスクの導電の手袋に結合して共同で使用する状態を示す模式図である。
【符号の説明】
【００２１】
１  絶縁フイルム、２  導電フイルム、３  コントロール装置、４  既知マッサージマスク、５  導電手袋、１１  導電ボタン、１１ａ  導電の挿入接続粒子、２０  ギャップ、２１  導電凸粒、２２  絶縁凸粒、３１  導線、２１１  導電材、３１１  導電ピン
【図１】
0003113536.tif 000003
【図２】
0003113536.tif 000004
【図３】
0003113536.tif 000005
【図４】
0003113536.tif 000006
【図５】
0003113536.tif 000007
【図６】
0003113536.tif 000008
【図７】
0003113536.tif 000009
【図８】
0003113536.tif 000010
【図９】
0003113536.tif 000011
【図１０】
0003113536.tif 000012
【図１１】
0003113536.tif 000013
【図１２】
0003113536.tif 000014
【図１３】
0003113536.tif 000015
【図１４】
0003113536.tif 000016